(57)【要約】【課題】  装飾表示用部材を削減し、コストダウンを図ることが可能で、且つ、装飾表示部を効率良く照明できる指針式計器装置を提供する。【解決手段】  計器装置１は、光源２と、光源２からの光を導く導光体５と、光源２にて照明される表示素子１２と、表示素子１２と前記導光体５とを収容するケース体９，１１と、表示素子１２の周囲に位置する指標部１０ｈ，５ｈと、指標部１０ｈ，５ｈを指示する指針１４と、を備える。導光体５は、指標部１０ｈ，５ｈである装飾表示部及び表示素子１２に光源２の光を照射する。光拡散部材６は、表示素子１２と導光体５と間に配設される。透過パネル１０は、光拡散部材６と表示素子１２との間に配設される。【選択図】  図１
2009281859.tif 000002
【特許請求の範囲】
【請求項１】
光源と、前記光源からの光を導く導光体と、前記光源にて照明される表示素子と、前記表示素子と前記導光体とを収容するケース体と、前記表示素子の周囲に位置する指標部と、前記指標部を指示する指針と、を備えた計器装置であって、前記導光体は、前記指標部である装飾表示部及び前記表示素子に前記光源の光を照射することを特徴とする計器装置。
【請求項２】
前記表示素子と前記導光体と間に配設される光拡散部材と、前記光拡散部材と前記表示素子との間に配設された透光性材料からなる透過パネルと、を備えたことを特徴とする請求項１に記載の計器装置。
【請求項３】
前記装飾表示部は、立体的な造形であることを特徴とする請求項１に記載の計器装置。
【請求項４】
前記導光体と前記指標部とが一体形成されていることを特徴とする請求項１に記載の計器装置。
【発明の詳細な説明】
【技術分野】
【０００１】
本発明は、指標部を指示する指針及び光源にて照明される表示素子を備えた指針式計器装置に関する。
【背景技術】
【０００２】
従来より、指針式計器装置が種々提案されており、例えば特許文献１に開示されている。斯かる指針式計器装置は、光源と、光源からの光を導く導光体と、光源にて照明される表示素子と、少なくとも表示素子と導光体とを備えたケース体と、表示素子の周囲に位置する指標部と、指標部を指示する指針と、指針を回動させる駆動装置とを備えている。
また、指針式計器装置の文字板に備えられる指標部としては、特許文献２に開示されたものが知られており、前記文字板は、指標部に装飾効果を与えるため立体的な指標リングを別部材として備えている。
【特許文献１】特開２００６−１１８８９２号公報
【特許文献２】特開２００６−２７５６７７号公報
【発明の開示】
【発明が解決しようとする課題】
【０００３】
しかしながら、このような指針式計器装置にあっては、表示素子照明用と指標部照明用とに、それぞれ専用に光源や導光体を設けなければならないため、部品数が多く、コストダウンを図ることができないという問題を有していた。また、指標部に装飾効果を与えたい場合には、装飾効果を高めるための装飾表示用部材を別部材として必要とし、部品数を増やしてしまうという問題を有していた。
本発明は、この問題に鑑みなされたものであり、装飾表示用部材を削減し、コストダウンを図ることが可能で、且つ、装飾表示部を効率良く照明できる指針式計器装置を提供するものである。
【課題を解決するための手段】
【０００４】
本発明は、請求項１に記載したように、光源２と、前記光源２からの光を導く導光体５と、前記光源２にて照明される表示素子１２と、前記表示素子１２と前記導光体５とを収容するケース体９，１１と、前記表示素子１２の周囲に位置する指標部１０ｈ，５ｈと、前記指標部１０ｈ，５ｈを指示する指針１４と、を備えた計器装置１であって、前記導光体５は、前記指標部１０ｈ，５ｈである装飾表示部及び前記表示素子１２に前記光源２の光を照射するものである。
【０００５】
また、本発明は、請求項２に記載したように、前記表示素子１２と前記導光体５と間に配設される光拡散部材６と、前記光拡散部材６と前記表示素子１２との間に配設された透光性材料からなる透過パネル１０と、を備えたものである。
【０００６】
また、本発明は、請求項３に記載したように、前記装飾表示部は、立体的な造形であるものである。
【０００７】
また、本発明は、請求項４に記載したように、前記導光体５と前記指標部５ｈとが一体形成されているものである。
【発明の効果】
【０００８】
指標部である装飾表示部及び表示素子に光源の光を照射する導光体を設けたことにより、各々専用の照明に関係する部品が削減されると共に、組み立ても容易となり、コストダウンを図ることができ、かつ、立体目盛を用いたデザイン性に富んだ計器装置を得ることができる。
【発明を実施するための最良の形態】
【０００９】
以下、添付図面に基づいて、本発明の一実施形態を説明する。
【００１０】
計器装置１は、表示素子１２と、文字板１３と、指針１４と、見返し１５と、照明装置１６とで、主に構成されている。
表示素子１２は、車両に関する情報などを表示する液晶表示パネルであり、照明装置１６にて透過照明される。文字板１３は、表示素子１２の表示領域の周囲に配設されており、数字表示部１３ａを有している。指針１４は、透光性樹脂からなり、図示しない駆動装置と連結されている。指針１４は、文字板１３上を回動し、後述する指標部を指示する。
【００１１】
照明装置１６は、光源２と、導光体５と、下ケース９及び上ケース１１とを有している。反射シート４は、導光体５の後面に配設されており、導光体５内を通る光を良好に反射させる。拡散シート６（光拡散部材）及びプリズムシート７は、導光体５の前面に配設されており、導光体５からの光を表示素子１２に良好に照射する。光源２は、発光ダイオードからなり、表示素子１２，文字板１３及び後述する指標部を照明するものである。基板３は、ポリイミドなどの可撓性の絶縁材料からなるベース材に配線パターンを施したものであり、光源２と電気的に接続されている。
【００１２】
導光体５は、透光性樹脂からなり、光源２からの光を導くものである。導光体５は、拡散シート６及びプリズムシート７の配設位置を定めるための位置決め部５ａが前面側に形成されている。下ケース９及び上ケース１１は、白色の樹脂からなり、光源２及び導光体５等を収容している。上ケース１１には、導光体５からの光が通過する窓部１１ａが設けられており、この窓部１１ａに透過パネル１０が一体形成されている。
【００１３】
透過パネル１０は、透光性樹脂からなり、導光体５からの光を透過させる。透過パネル１０は、装飾表示部からなる指標部１０ｈを有しており、この指標部１０ｈは、文字板１３を貫通するように、導光体５上に立体的に形成されている。透過パネル１０の後面側には、導光体５の位置決め部５ａに対応する位置に形成された位置決め部１０ｄが形成されている。透過パネル１０の前面側には、表示素子１２を固定するための支持部１０ｅが、拡散シート６及びプリズムシート７に対する表示素子１２の配設位置を定めるよう形成されている。また、透過パネル１０の後面には、指標部１０ｈに照射する光の指向特性を良好にするため、断面略Ｖ字形の微細な凹部１０ｆが形成されている。
【００１４】
本実施形態によれば、光源２にて表示素子１２と文字板１３と指標部１０ｈとを照明することができ、各々専用の照明に関係する部品が削減されると共に、組み立ても容易となり、コストダウンを図ることができ、かつ、立体目盛を用いたデザイン性に富んだ指針式計器装置を得ることができる。なお、図３に示す他の実施形態のように、導光体５に指標部５ｈを一体形成しても良く、同様な効果を得ることができる。
【図面の簡単な説明】
【００１５】
【図１】本発明の実施形態を示す正面図。
【図２】同上実施形態を示す断面図。
【図３】本発明の他の実施形態を示す断面図。
【符号の説明】
【００１６】
１    計器装置
２    光源
５    導光体
５ｈ  指標部
６    拡散シート（光拡散部材）
９    下ケース（ケース体）
１０    透過パネル
１０ｈ  指標部
１１    上ケース（ケース体）
１２    表示素子
１４    指針
【図１】
2009281859.tif 000003
【図２】
2009281859.tif 000004
【図３】
2009281859.tif 000005